(57)【要約】【課題】配管接続後の外径が小さい配管接続構造を提供することを目的とする。【解決手段】ソケット４０、プラグ６０及びリテーナ８０を用いて配管接続構造が構成される。ソケット４０及びプラグ６０はそれぞれ第１突片４４及び第２突片６６を有している。第１突片４４の外周面に周方向溝４６が設けられており、第２突片６６からは、該周方向溝４６に係合可能な棒状の係合部６８が周方向に延出している。挿入管６２をプラグ挿入口４２に挿入した後、ソケット４０とプラグ６０とを相対的に回転させて係合部６８を周方向溝４６に係合させることにより、プラグ６０のソケット４０からの抜出しが防止される。リテーナ８０は、第１突片４４及び第２突片６６の外周面に被さるように円弧状に延在しており、周方向の両端に設けられた爪８０ａが該第１突片４４と第２突片６６との係合体の周方向両端部に引掛かってこれらの係合状態を保持する。【選択図】  図５
2004190689.tif 000002
【特許請求の範囲】
【請求項１】
外周に止水リングを装着したプラグと、該プラグが差し込まれるソケットと、該プラグのソケットからの抜出を阻止する抜出阻止手段とを有する配管接続構造において、
該抜出阻止手段は、
該プラグ及びソケットの一方から放射方向に突設された第１突片と、
該プラグ及びソケットの他方から放射方向に突設されており、該第１突片に接して係合する係合部を備えた第２突片と、
該第１突片と第２突片との係合状態を保持するリテーナとを備えてなり、
該係合部は、該プラグがソケットに差し込まれた後、周方向に相対的に回転されることにより該第１突片に対し係合してプラグの抜出を阻止するものであり、
該リテーナは、該第２突片が該回転方向と逆方向に回転することを阻止するように該第１突片及び第２突片に係着されていることを特徴とする配管接続構造。
【請求項２】
請求項１において、前記第１突片及び第２突片はそれぞれ周方向に間隔をおいて複数個設けられていることを特徴とする配管接続構造。
【請求項３】
請求項１又は２において、該第１突片及び第２突片は円弧状で且つ互いに等径の外周面を有しており、
前記リテーナは、該第１突片及び第２突片の外周面に被さるように円弧状に延在し、この延在方向の両端側に設けられた爪部によって第１突片及び第２突片の前記逆方向の回転を阻止していることを特徴とする配管接続構造。
【請求項４】
請求項３において、前記第１突片の外周面に周方向溝が設けられており、
前記係合部は、周方向に延在した棒状であり、該周方向溝に係合していることを特徴とする配管接続構造。
【請求項５】
請求項３において、該係合部は、周方向に延出して該第１突片の裏側に回り込んでいることを特徴とする配管接続構造。
【発明の詳細な説明】
【０００１】
【発明の属する技術分野】
本発明は、配管と止水栓などの器具、あるいは配管同士などを接続した配管接続構造に係り、特にプラグとソケットとの差し込みにより配管を接続するようにした非ねじ込み式の配管接続構造に関する。
【０００２】
【従来の技術】
配管接続にはねじ込みが広く採用されているが、接続や接続解除に手間がかかる。また、このねじ込み式の場合、シールテープによって止水することが多いが、作業者の熟練度によって止水の信頼性にバラツキがある。
【０００３】
非ねじ込み式の配管接続構造として、特開平８−２７０８４８号公報には、外周に止水リングを装着した、フランジ付きのプラグと、該プラグが差し込まれる、フランジ付きのソケットと、これらプラグ及びソケットのフランジ同士を挟持するクランプとからなるワンタッチジョイント式の配管接続構造が記載されている。
【０００４】
第１１図は同号公報の配管接続構造を示す分解側面図、第１２図はその要部を示す分解斜視図である。
【０００５】
ユニットルームの壁パネル１に設けられた壁貫通継手２Ａのカウンター内側の端部は、フランジ１６を有したソケット１５となっている。金属製の蛇腹状のフレキ管７Ａの両端には、フランジ１７付きのプラグ１８がカシメカラー１９を介して固着されている。このプラグ１８の外周にＯリング２０が装着されている。
【０００６】
このプラグ１８をソケット１５に挿入してフランジ１６，１７を当接させ、クランプ２１を外嵌させることによりフレキ管７Ａの一端と壁貫通継手２Ａとが連結される。
【０００７】
このクランプ２１は、１対のアーム２２を有した略Ω字形状のものであり、アーム２２にはフランジ１６，１７を受け入れる窓孔２３が設けられている。このクランプ２１は金属製であり、アーム２２，２２同士は互いに接近・離反方向に弾性変形可能となっている。
【０００８】
カウンター前板９に取り付けられた壁貫通継手１０Ａのカウンター内側の端部もフランジ２５を有したソケット２６となっている。このソケット２６にフレキ管７Ａの他端側のプラグ１８が挿入され、クランプ２１が外嵌されることにより壁貫通継手１０Ａとフレキ管７Ａの他端とが連結される。
【０００９】
かかるフレキ管７Ａと壁貫通継手２Ａ，１０Ａとの連結は、ワンタッチにてきわめて容易に行なえる。
【００１０】
また、フレキ管７Ａと壁貫通継手２Ａ，１０Ａとの連結部はＯリング２０によって止水されるため、作業者の熟練度の如何にかかわらず止水性はきわめて良好である。
【００１１】
【特許文献１】
特開平８−２７０８４８号公報
【００１２】
【発明が解決しようとする課題】
上記第１１，１２図の配管接続構造にあっては、プラグ及びソケットのフランジ１６，１７，１７，２５の外周に大形の金具よりなるクランプ２１が外嵌めされるため、外観上の見栄えが悪い。また、清掃時などにこのクランプ２１が清掃作業者に接触し、邪魔になることもある。
【００１３】
本発明は、配管接続後の外径が小さく、上記の如き問題点が解決される配管接続構造を提供することを目的とする。
【００１４】
【課題を解決するための手段】
本発明の配管接続構造は、外周に止水リングを装着したプラグと、該プラグが差し込まれるソケットと、該プラグのソケットからの抜出を阻止する抜出阻止手段とを有する配管接続構造において、該抜出阻止手段は、該プラグ及びソケットの一方から放射方向に突設された第１突片と、該プラグ及びソケットの他方から放射方向に突設されており、該第１突片に接して係合する係合部を備えた第２突片と、該第１突片と第２突片との係合状態を保持するリテーナとを備えてなり、該係合部は、該プラグがソケットに差し込まれた後、周方向に相対的に回転されることにより該第１突片に対し係合してプラグの抜出を阻止するものであり、該リテーナは、該第２突片が該回転方向と逆方向に回転することを阻止するように該第１突片及び第２突片に係着されていることを特徴とするものである。
【００１５】
かかる配管接続構造にあっては、第１突片と第２突片とが係合することによりプラグの抜出しが阻止されるため、リテーナはこの係合状態を保つように第２突片の回転を阻止する機能を有していれば足りる。このため、リテーナは小形のもので足り、配管接続構造を小形化できる。
【００１６】
この第１突片及び第２突片はそれぞれ周方向に間隔をおいて複数個設けられていることが好ましい。これにより、配管接続強度が向上する。
【００１７】
本発明では、第１突片及び第２突片は円弧状で且つ互いに等径の外周面を有しており、リテーナは、該第１突片及び第２突片の外周面に被さるように円弧状に延在し、この延在方向の両端側に設けられた爪部によって第１突片及び第２突片の逆方向の回転を阻止していることが好ましい。このリテーナは、放射方向に出張ることがなく、配管接続構造が十分に小形のものとなる。
【００１８】
本発明の一態様では、第１突片の外周面に周方向溝が設けられており、前記係合部は、周方向に延在した棒状であり、該周方向溝に係合している。
【００１９】
また、本発明の別の一態様では、係合部は、周方向に延出して該第１突片の裏側に回り込んでいる。
【００２０】
いずれの態様によっても、ソケットとプラグとの接続強度は十分に高いものとなる。
【００２１】
【発明の実施の形態】
以下、図面を参照して実施の形態について説明する。
【００２２】
第１図は本発明の実施の形態に係る配管接続構造のプラグとソケットとの分解斜視図、第２図は第１突片への第２突片の係合部の係合構造を示す斜視図、第３図は係合状態にある第１突片及び第２突片とリテーナとの分解斜視図、第４図はプラグとソケットの側面図であり、第５図は第４図のＶ−Ｖ線断面図である。なお、第５図はこの配管接続構造の施工が完了した状態を示している。
【００２３】
図示はしないが、この実施の形態でも、ユニットルームの壁パネル１に設けられた壁貫通継手２Ａと、カウンター前板９に取り付けられた壁貫通継手１０Ａのカウンター内側の端部は、それぞれ、プラグ挿入口４２を有するソケット４０となっている。また、フレキ管７Ａの両端には、該プラグ挿入口４２に挿入される挿入管６２を有したプラグ６０がそれぞれ連結されている。該挿入管６２の外周にＯリング６４が装着されている。なお、各プラグ６０は、中空の回転自在継手（図示略）を介して該フレキ管７Ａの両端に連結されていることが好ましい。
【００２４】
該ソケット４０及びプラグ６０は、それぞれ略円筒形状の本体部４０ａ，６０ａを有している。該プラグ挿入口４２は、このソケット４０の本体部４０ａの先端面に、該本体部４０ａと同心状に形成されている。また、該挿入管６２は、プラグ６０の本体部６０ａの先端面から該本体部６０ａと同軸状に延出している。
【００２５】
ソケット４０の本体部４０ａの先端面に臨むようにして、該本体部４０ａの外周面から放射方向に第１突片４４が突設されている。この実施の形態では、該第１突片４４は、該本体部４０ａの周方向に等間隔にて３個設けられている。この第１突片４４同士の間隔は、第２図に示すように、プラグ挿入口４２に挿入管６２を挿入して本体部４０ａ，６０ａの先端面同士を接合したときに、後述する第２突片６６がこれらの第１突片４４同士の間に入り込むことを許容する大きさとなっている。
【００２６】
各第１突片４４は、プラグ挿入口４２の中心を曲率中心とする円弧状の外周面を有している。この第１突片４４の外周面に周方向溝４６が設けられている。この周方向溝４６は、該第１突片４４の外周面に沿ってその周方向に円弧状に延在しており、その一端面が、第１図、第２図及び第４図に示すように、第１突片４４の周方向の一方の側面に臨んでいる。
【００２７】
プラグ６０の本体部６０ａの先端側の外周面からは、該周方向溝４６に係合可能な係合部６８を備えた第２突片６６が突設されている。この実施の形態では、該第２突片６６は、３個の第１突片４４にそれぞれ対応するように周方向に等間隔にて３個設けられている。各第２突片６６は、第２図に示すように、該本体部６０ａの外周面から放射方向に延出した基片部６６ａを有している、この基片部６６ａは、挿入管６２をプラグ挿入口４２に挿入して本体部４０ａ，６０ａの先端面同士を接合したときに、これらの接合部を越えて前記第１突片４４の周方向溝４６の一端側が臨んでいる側面と対面するように該挿入方向に延在している。
【００２８】
該係合部６８は、この基片部６６ａの放射方向の先端側から周方向溝４６の曲率と同一の曲率にて周方向に延出した棒状のものである。この係合部６８は、挿入管６２をプラグ挿入口４２に挿入して本体部４０ａ，６０ａの先端面同士を接合し、該基片部６６ａを第１突片４４の周方向溝４６が臨んでいる側面に対面させた状態において、該本体部４０ａ，６０ａ同士を相対的に回転させて基片部６６ａを第１突片４４の該側面に接近させることにより、該側面に臨んだ周方向溝４６の一端側から該周方向溝４６内に係合するようになっている。
【００２９】
なお、この第２突片６６の外周面は、第１突片４４の外周面と等径の円弧状となっており、該係合部６８を周方向溝４６に係合させた状態においては、第１突片４４の外周面と第２突片６６の外周面とは面一状に連なる。
【００３０】
この第１突片４４と第２突片６６とによってプラグ６０のソケット４０からの抜出阻止手段が構成されている。
【００３１】
この第２突片６６の係合部６８と第１突片４４の周方向溝４６との係合状態を保持するために、該第１突片４４と第２突片６６とにリテーナ８０が係着される。このリテーナ８０は、第５図に示すように、該第１突片４４及び第２突片６６の外周面に被さるように円弧状に延在し、その両端側に設けられた爪部８０ａ，８０ａがそれぞれ該第１突片４４と第２突片６６との係合体の周方向の両端部に引掛かるように構成されている。
【００３２】
このリテーナ８０を第１突片４４と第２突片６６との係合体に係着することにより、第２突片６６は、係合部６８を周方向溝４６に係合させるときに回転された回転方向と逆方向に回転して第１突片４４から離反することが阻止され、該第１突片４４と第２突片６６との係合状態が保持される。なお、第３図及び第５図に示すように、該リテーナ８０の周方向に延在する両側縁から、それぞれ第１突片４４の周方向と交叉方向に臨んでいる側面に沿うように第２爪８０ｂが突設されている。この第２爪８０ｂにより、該リテーナ８０が周方向と交叉方向にずれ動いて第１突片４４及び第２突片６６の外周面から脱落することが防止される。
【００３３】
このように構成されたソケット４０、プラグ６０及びリテーナ８０を用いて第５図の配管接続構造とするには、まず、第２図に示すように、隣り合う第１突片４４同士の間に第２突片６６が入り込むように挿入管６２をプラグ挿入口４２に挿入し、ソケット４０の本体部４０ａとプラグ６０の本体部６０ａの先端面同士を当接させる。次いで、この本体部４０ａ，６０ａ同士を相対的に回転させ、第２突片６６の係合部６８を第１突片４４の周方向溝４６に係合させる。その後、この第１突片４４と第２突片６６との係合体にリテーナ８０を係着する。
【００３４】
この配管接続構造にあっては、第２突片６６を第１突片４４に接近するように回転させて該第２突片６６の係合部６８を第１突片４４の周方向溝４６に係合させることによりプラグ６０のソケット４０からの抜出しが阻止されるため、リテーナ８０は、この係合状態を保つように第２突片６６の第１突片４４への係合時の回転方向とは逆方向の回転を阻止する機能を有していれば足りる。このため、リテーナ８０はこれら第１突片４４と第２突片６６との係合体の周方向の両端部を押える爪８０ａ，８０ａを有した程度の小型のもので足り、配管接続構造を小型化することが可能となる。
【００３５】
この実施の形態では、第１突片４４及び第２突片６６の外周面が同径の円弧状となっており、リテーナ８０は、これらの外周面に被さるように円弧状に延在し、この延在方向の両端側に設けられた爪８０ａ，８０ａによって該第２突片６６の第１突片４４への係合時の回転方向とは逆方向の回転を阻止するよう構成されているので、十分に小形のものとなっている。
【００３６】
この実施の形態では、第１突片４４と第２突片６６とが周方向に間隔をおいて複数個（この実施の形態では等間隔にて３個）設けられているので、配管接続強度が高い。
【００３７】
この実施の形態では、第１突片４４の外周面に周方向溝４６を設け、この周方向溝４６に係合可能な棒状の係合部６８を第２突片６６から周方向に延出させた構成となっている。このように構成された配管接続構造にあっては、ソケット４０とプラグ６０との接続強度は十分に高いものとなっている。
【００３８】
次に、第６〜１０図を参照して本発明の別の実施の形態について説明する。第６図は本発明の別の実施の形態に係る配管接続構造のプラグとソケットとの分解斜視図、第７図は第１突片への第２突片の係合部の係合構造を示す斜視図、第８図は係合状態にある第１突片及び第２突片とリテーナとの分解斜視図、第９図はプラグとソケットの側面図であり、第１０図は第４図のＸ−Ｘ線断面図である。なお、第１０図はこの配管接続構造の施工が完了した状態を示している。
【００３９】
この実施の形態では、ソケット４０Ａの本体部４０ａの外周面から、該本体部４０ａの先端面に臨むようにして、立壁状の第１突片４４Ａが放射方向に突設されている。また、プラグ６０Ａの本体部６０ａの先端側の外周面からは、該第１突片４４Ａの裏側（ソケット４０Ａの本体部４０ａの後端に臨む側）に回り込んで該第１突片４４Ａと重なり合うようにして係合する係合部７０を備えた第２突片６６Ａが突設されている。
【００４０】
この第２突片６６Ａは、第７図に示すように、該プラグ６０Ａの本体部６０ａの外周面から放射方向に延出した基片部６６ｂを有している。この基片部６６ｂは、挿入管６２をプラグ挿入口４２に挿入して本体部４０ａ，６０ａの先端面同士を接合したときに、これらの接合部を越えて第１突片４４Ａの周方向の一方の端面と対峙するように該挿入方向に延在している。係合部７０は、この基片部６６ｂの該挿入方向先端側の辺縁部から直角に周方向に延出している。
【００４１】
この実施の形態でも、該第１突片４４Ａは、周方向に第２突片６６Ａが入り込みうる間隔をおいて等間隔にて３個設けられている。また、該第２突片６６Ａも、これら３個の第１突片４４Ａとそれぞれ対応するように周方向に等間隔にて３個設けられている。
【００４２】
この実施の形態でも、該第１突片４４Ａと第２突片６６Ａとは円弧状で且つ互いに等径の外周面を有している。
【００４３】
これらの第１突片４４Ａと第２突片６６Ａとを係合させるには、まず、第７図に示すように、隣り合う第１突片４４Ａ同士の間に第２突片６６Ａが入り込むように挿入管６２をプラグ挿入口４２に挿入し、ソケット４０Ａの本体部４０ａとプラグ６０Ａの本体部６０ａの先端面同士を当接させる。次いで、この本体部４０ａ，６０ａ同士を相対的に回転させ、係合部７０を該第１突片４４Ａの裏側に回り込ませる。これにより、プラグ６０Ａのソケット４０Ａからの抜出しが阻止されるようになる。符号４８は、該係合部７０の先端を受け止めることにより、係合部７０が第１突片４４Ａの裏側に回り込んだ状態で本体部４０ａ，６０ａの相対的な回転を停止させるストッパを示している。
【００４４】
なお、このように本体部４０ａ，６０ａの先端面同士を当接させつつ該本体部４０ａ，６０ａを相対的に回転させ、係合部７０を第１突片４０Ａの裏側に回り込ませると、該係合部７０は、第８図に示すように、第１突片４４Ａの裏面に当接する。従って、第１突片４４Ａと第２突片６６Ａとが係合した状態にあっては、該本体部４０ａ，６０ａ同士、並びに該突片４４Ａ，６６Ａ同士は、それぞれ、互いに接近及び離反する方向（挿入口４２に対する挿入管６２の挿抜方向）には不動である。
【００４５】
この実施の形態でも、該第１突片４４Ａと第２突片６６Ａとの係合状態を保持するために、これらの係合体にリテーナ８０が係着される。このリテーナ８０は、前述の第１〜５の実施の形態にて採用されたものと同様の構成となっている。即ち、第１０図に示すように、リテーナ８０は、該第１突片４４Ａ及び第２突片６６Ａの外周面に被さるように円弧状に延在し、その両端側に設けられた爪部８０ａ，８０ａがそれぞれ該第１突片４４Ａと第２突片６６Ａとの係合体の周方向の両端部に引掛かるように構成されている。また、このリテーナ８０の周方向に延在する両側縁からは、第８図及び第１０図に示すように、該第１突片４４Ａと第２突片６６Ａとの係合体の周方向と交叉方向に臨む側面に沿うように第２爪８０ｂが突設されている。この第２爪８０ｂにより、該リテーナ８０が周方向と交叉方向にずれ動いて第１突片４４Ａ及び第２突片６６Ａの外周面から脱落することが防止される。
【００４６】
このリテーナ８０を第１突片４４Ａと第２突片６６Ａとの係合体に係着することにより、第２突片６６Ａは、係合部７０を第１突片４４Ａの裏側に回り込ませるときに回転された回転方向と逆方向に回転して第１突片４４Ａから離反することが阻止され、該第１突片４４Ａと第２突片６６Ａとの係合状態が保持される。
【００４７】
これらのソケット４０Ａ、プラグ６０Ａ及びリテーナ８０を用いて構成された配管接続構造にあっても、挿入管６２をプラグ挿入口４２に挿入した後、本体部４０ａ，６０ａを相対的に回転させて第２突片６６Ａの係合部７０を第１突片４４Ａの裏側に回り込ませることにより該プラグ６０Ａのソケット４０Ａからの抜出しが阻止されるため、リテーナ８０は、この第１突片４４Ａと第２突片６６Ａとの係合状態を保つためには、第２突片６６Ａの第１突片４４Ａへの係合時の回転方向とは逆方向の回転を阻止する機能を有していれば足りる。このため、リテーナ８０はこれら第１突片４４Ａと第２突片６６Ａとの係合体の周方向の両端部を押える爪８０ａ，８０ａを有した程度の小型のもので足り、配管接続構造を小型化することが可能となる。
【００４８】
この実施の形態でも、第１突片４４Ａ及び第２突片６６Ａの外周面が円径の円弧状となっており、リテーナ８０は、これらの外周面に被さるように円弧状に延在し、この延在方向の両端側に設けられた爪８０ａ，８０ａによって該第２突片６６Ａの第１突片４４Ａへの係合時の回転方向とは逆方向の回転を阻止するよう構成されているので、十分に小形のものとなっている。
【００４９】
また、この実施の形態でも、第１突片４４Ａと第２突片６６Ａとが周方向に間隔をおいて複数個（この実施の形態では等間隔にて３個）設けられているので、配管接続強度が高い。
【００５０】
この実施の形態では、第２突片６６Ａの係合部７０を周方向に延在させて第１突片４４Ａの裏側に回り込むようにした構成となっている。このように構成された配管接続構造にあっては、ソケット４０Ａとプラグ６０Ａとの接続強度が高い。
【００５１】
上記の各実施の形態は本発明の一例であり、本発明は上記の各実施の形態に限定されるものではない。
【００５２】
【発明の効果】
以上の通り、本発明の配管接続構造によると、配管接続後の外径が小さいため、外観上の見栄えが良いと共に、清掃時等にリテーナ等が清掃作業の邪魔にならない。
【図面の簡単な説明】
【図１】実施の形態に係る配管接続構造のソケットとプラグとの分解斜視図である。
【図２】第１突片への第２突片の係合部の係合構造を示す斜視図である。
【図３】係合状態にある第１突片及び第２突片とリテーナとの分解斜視図である。
【図４】プラグとソケットの側面図である。
【図５】図４のＶ−Ｖ線断面図である。
【図６】別の実施の形態に係る配管接続構造のソケットとプラグとの分解斜視図である。
【図７】第１突片への第２突片の係合部の係合構造を示す斜視図である。
【図８】係合状態にある第１突片及び第２突片とリテーナとの分解斜視図である。
【図９】プラグとソケットの側面図である。
【図１０】図９のＸ−Ｘ線断面図である。
【図１１】従来例に係る配管接続構造の分解斜視図である。
【図１２】図１１の要部分解斜視図である。
【符号の説明】
４０，４０Ａ  ソケット
４２  プラグ挿入口
４４，４４Ａ  第１突片
４６  周方向溝
６０，６０Ａ  プラグ
６２  挿入管
６４  Ｏリング
６６，６６Ａ  第２突片
６８，７０  係合部
８０  リテーナ
８０ａ  爪
【図１】
2004190689.tif 000003
【図２】
2004190689.tif 000004
【図３】
2004190689.tif 000005
【図４】
2004190689.tif 000006
【図５】
2004190689.tif 000007
【図６】
2004190689.tif 000008
【図７】
2004190689.tif 000009
【図８】
2004190689.tif 000010
【図９】
2004190689.tif 000011
【図１０】
2004190689.tif 000012
【図１１】
2004190689.tif 000013
【図１２】
2004190689.tif 000014